(57)【要約】【課題】電子機器側コネクタの位置の大きく異なる複数の電子機器に、比較的簡単な操作で対応できる電子機器用クレイドル装置を提案する。【解決手段】電子機器とのデータの送受信及び/又は電源供給を電子機器側コネクタ１ａとクレイドル本体２０に設けたクレイドル側コネクタ２０ａとを接続して行う電子機器用クレイドル装置である。クレイドル側コネクタ２０ａは平面的に移動可能に構成されており、付勢手段により所定位置に配置される。そして、位置決め板３０、３１の開孔３０ｂ、３１ｂにこのクレイドル側コネクタ２０ａを挿入係合した状態で、クレイドル側コネクタ２０ａをこの付勢手段の付勢力に抗しながら移動させる。この位置決め板３０、３１をこのクレイドル本体２０に組み込み固定し、クレイドル側コネクタ２０ａをこの電子機器側コネクタ１ａに合った位置に配置するようにする。【選択図】図１
2009159505.tif 000002
【特許請求の範囲】
【請求項１】
電子機器とのデータの送受信及び/又は電源供給を電子機器側コネクタとクレイドル本体に設けたクレイドル側コネクタとを接続して行うようにした電子機器用クレイドル装置において、
前記クレイドル側コネクタを平面的に移動可能に構成すると共に付勢手段により所定位置に配置する構成とし、
位置決め板の開孔に前記クレイドル側コネクタを挿入係合した状態で前記クレイドル側コネクタを前記付勢手段の付勢力に抗しながら移動させ、前記位置決め板を前記クレイドル本体に組み込み固定し、
前記位置決め板の前記クレイドル側コネクタが前記電子機器側コネクタに合った位置に配置するようにしたことを特徴とする電子機器用クレイドル装置。
【請求項２】
請求項１記載の電子機器用クレイドル装置において、
前記クレイドル側コネクタの平面的移動が直線的であることを特徴とする電子機器用クレイドル装置。
【請求項３】
請求項１記載の電子機器用クレイドル装置において、
前記クレイドル側コネクタの平面的移動が左右及び前後方向であることを特徴とする電子機器用クレイドル装置。
【請求項４】
請求項１記載の電子機器用クレイドル装置において、
前記クレイドル本体の所定位置に、背もたれ板を設けたことを特徴とする電子機器用クレイドル装置。
【請求項５】
電子機器とのデータの送受信及び/又は電源供給を電子機器側コネクタとクレイドル本体に設けたクレイドル側コネクタとを接続して行うようにしたクレイドルを備えた電子装置において、
前記クレイドル側コネクタを平面的に移動可能に構成すると共に付勢手段により所定位置に配置する構成とし、
位置決め板の開孔に前記クレイドル側コネクタを挿入係合した状態で前記クレイドル側コネクタを前記付勢手段の付勢力に抗しながら移動させ、前記位置決め板を前記クレイドル本体に組み込み固定し、
前記位置決め板の前記クレイドル側コネクタが前記電子機器側コネクタに合った位置に配置するようにしたことを特徴とする電子装置。
【発明の詳細な説明】
【技術分野】
【０００１】
本発明は、小型のデジタルスチルカメラ等の電子機器の小型化を優先しつつ利便性を向上するための電子機器用クレイドル装置及び電子装置に関する。
【背景技術】
【０００２】
一般に、小型のデジタルスチルカメラ等の電子機器においては、種々の端子機能を一つにまとめた拡張用の特殊コネクタ（電子機器側コネクタ、これは雌型コネクタである）を装備している。
【０００３】
従来、小型のデジタルスチルカメラ等の電子機器とのデータの送受信及び／又は電源供給を電子機器用クレイドル装置を用いて行う場合には、図１８に示すように、デジタルスチルカメラ１の拡張用の特殊コネクタを、電子機器用クレイドル装置のクレイドル本体２に設けたクレイドル側コネクタ（雄型コネクタ）に接続して行っている。
また、この電子機器用クレイドル装置とテレビジョン受像器等との接続においては、この電子機器用クレイドル装置のクレイドル本体２に装備した通常のビデオ端子やＵＳＢ端子等を使用して接続することができるので、デジタルスチルカメラ１の小型化を優先して、その利便性を向上するようにしている。
【０００４】
図１８に示すような電子機器用クレイドル装置のクレイドル本体２においては、デジタルスチルカメラ１に保存されている画像データをテレビジョン受像機３で拡大して表示させて閲覧あるいは鑑賞している。また、表示された画像データの中から選択した画像データをプリンタ４で印刷することもある。このように、電子機器用クレイドル装置のクレイドル本体２に備えられている充電又は電源供給回路を介して、デジタルスチルカメラ１の内蔵バッテリを充電したり、電源供給を行ったりすることが可能である。更に、図１８に示すように、電子機器用クレイドル装置のクレイドル本体２等を遠隔制御するコマンドを発生するリモートコントロール装置５が設けられている。
【０００５】
このデジタルスチルカメラ１が電子機器用クレイドル装置のクレイドル本体２に装着され、電子機器側コネクタとクレイドル側コネクタとが接続された状態でのシステム構成例を、図１９を参照して説明する。
図１９は、デジタルスチルカメラ１の電子機器側コネクタ１ａに電子機器用クレイドル装置のクレイドル本体２のクレイドル側コネクタ２ａが挿着接続された状態でのシステム構成例を示している。
この電子機器用クレイドル装置のクレイドル本体２に内蔵される回路は、定電圧電源回路６、演算処理ＩＣ（μＣＯＭ）７、充電回路８、クロック発生回路９、入出力端子１０ａ〜１０ｃ、演算処理ＩＣ（μＣＯＭ）７への入力スイッチ１３，１４、表示ランプ１２ａ、１２ｂなどから構成されている。ここでクロック発生回路９は演算処理ＩＣ７へクロック信号を供給している。
【０００６】
デジタルスチルカメラ１のクレイドル側コネクタ２ａは、ケーブル２ｄによりクレイドル本体２に接続される。そして、ケーブル２ｄを構成する配線の内の一部が、「ＡＶ信号出力」端子１０ａ、「ＵＳＢ」端子１０ｂ、「ＤＣＩＮ」端子１０ｃに接続されている。また、ケーブル２ｄを構成する配線が一部引き出されて、「ＬＣＤ」と「ＴＶ」との表示切り替えのためのディスプレイ選択スイッチ１１となっている。
【０００７】
そして、「ＡＶ信号出力」端子１０ａと「ＵＳＢ」端子１０ｂとは、ケーブル２ｄを介して直接デジタルスチルカメラ１と接続されている。また、ＤＣ＿ＩＮ端子１０ｃを介して供給される電源は、定電圧電源回路６を介して演算処理ＩＣ７に供給されると共に、演算処理ＩＣ７の監視のもとで必要に応じて充電回路８を介してデジタルスチルカメラ１のバッテリを充電する。なお、図示しないＡＣアダプタに接続されているＤＣプラグがＤＣ＿ＩＮ端子１０ｃに接続されるとき、ＰＯＷＥＲランプ１２ｂを点灯するようにする。
【０００８】
さらに、演算処理ＩＣ７には、電源（ＰＯＷＥＲ）スイッチ１３と、スライドショースイッチ１４と、チャージランプ１２ａに対応する３つのＬＥＤランプと、リモコン受光部１５と、ケーブル２ｄを介してデジタルスチルカメラ１とが接続されている。ここでデジタルスチルカメラ１との信号送受信では、適宜の信号変換が行われる。
【０００９】
この電子機器用クレイドル装置のクレイドル本体２にＤＣプラグを接続し、デジタルスチルカメラ１の電源を切った状態でデジタルスチルカメラ１の電子機器側コネクタ１ａをクレイドル側コネクタ２ａに挿着接続すると、内蔵バッテリの充電が開始され、充電状況が３つのＬＥＤ（チャージランプ１２ａ）により表示される。
【００１０】
そして、外部のテレビジョン受像機３に画像を表示させるときは、クレイドル本体２の「ＡＶ信号出力」端子１０ａとテレビジョン受像機３のＡＶ入力端子を所定のケーブルで接続し、ディスプレイ選択スイッチ１１を「ＴＶ」に合わせる。それから、デジタルスチルカメラ１側のモード切替えスイッチを「再生」に切り替えて、クレイドル本体２のＰＯＷＥＲスイッチ１３をＯＮしてデジタルスチルカメラ１の電源をＯＮさせる。
そして、テレビジョン受像機３の電源をＯＮしてから表示を「ビデオ」モードにする。
【００１１】
この状態で、デジタルスチルカメラ１、もしくは図示しないリモコンのコントロールボタンにより、保存されている画像データを選択してテレビジョン受像機３に表示させることができる。
また、この状態では、スライドショースイッチ１４が有効になり、このスライドショースイッチ１４を押すことにより画像データを順次再生させることができる。
なお、ディスプレイ選択スイッチ１１を「ＬＥＤ」に合わせると、テレビジョン受像機３ではなくデジタルスチルカメラ１の画像モニタに再生画像を表示させることができる。
【００１２】
ところで、デジタルスチルカメラの外形サイズは機種毎に異なることが一般的であり、従来は、デジタルスチルカメラの買い替え、買い増しを行ったユーザは、その機種ごとに電子機器用クレイドル装置を購入しなければならない不都合があった。
【００１３】
このため、従来、この電子機器用クレイドル装置を共通化する技術がいくつか提案されている。例えば、デジタルスチルカメラの電子機器側コネクタの位置が少々の違いであれば、デジタルスチルカメラの外周や底面を押さえる部分を可動式にして機種毎に位置を設定させる構造にする。また、電子機器用クレイドル装置とデジタルスチルカメラとの間の形状の違いを吸収するアタッチメントを、デジタルスチルカメラ毎に用意するものがある。
【００１４】
然しながら、上述の技術では、デジタルスチルカメラの形状が大きく異なる場合、例えば図１６及び図１７に示すように、デジタルスチルカメラＡ及びＢにおいては、デジタルスチルカメラＡ及びＢの電子機器側コネクタ１ａ及び１ａの位置が右側及び左側の大きく異なる位置にあるときには対応できない（特に、図１６Ｃ及び図１７Ｃの底面図参照）。
【００１５】
なお、図１６Ａ及び図１７Ａは、それぞれデジタルスチルカメラＡ及びＢの背面図、図１６Ｂ及び図１７Ｂは、それぞれデジタルスチルカメラＡ及びＢの正面図である。図１６Ａ及び図１７Ａにおいて、１ｂは液晶表示画面であり、図１６Ｂにおいて、１ｃはレンズバリアである。
【００１６】
従来、このデジタルスチルカメラＡ及びＢの電子機器側コネクタ１ａ及び１ａの位置が右側及び左側の大きく異なる位置にあるときに対応できる技術として、特許文献１の図１３に示すようなものが提案されている。
【００１７】
特許文献１に開示された技術には、図２０に示すように、クレイドル本体２の手前の面側に略長方形の開口を有する長溝（凹部）２ｂが設けられている。この長溝（凹部）２ｂは、長辺の長さがクレイドル本体２の両側面近くまでと幅広で、短辺の長さがクレイドル側コネクタ２ａの厚さより大きな奥行きとなるように形成されている。
【００１８】
そして、クレイドル側コネクタ２ａが設けられたケーブル２ｄがこの長溝（凹部）２ｂの内側に引き出される。ここでクレイドル側コネクタ２ａにはデジタルスチルカメラＡ及びＢのそれぞれの載置部１６の掛止部１６ｂと掛止される掛止爪２ｃが設けられる。
【００１９】
また、クレイドル本体２には、載置部１６を固定するための所定数の固定孔が両側面に設けられると共に、前面の側に操作スイッチ、切り替えスイッチ、また表示パネルなどが設けられる。ここで表示パネルは、例えば液晶表示素子などにより充電状況、電源投入の有無などをモニタできるようにする。
また、クレイドル本体２の図示しない背面部には、上述例と同様に外部接続端子が設けられている。
【００２０】
載置部１６は、載置されるデジタルスチルカメラの大きさに応じた背面と底面と両側面を有するように作製される。そして、両側面は下方に延設されて内側に、クレイドル本体２の固定孔と係合する突部が所定数設けられる。また、載置部１６の底面の下面側に電子機器側コネクタ１ａの位置に合わせて略矩形形状の開孔１６ａが設けられると共に、この開孔１６ａの矩形の２辺に対向するようにクレイドル側コネクタ２ａとの掛止部１６ｂが設けられる。
【００２１】
このように構成した電子機器用クレイドル装置では、クレイドル本体２に略長方形の開口を有する長溝（凹部）２ｂが設けられているため、クレイドル本体２の開口側から手でクレイドル側コネクタ２ａを載置部１６の掛止部１６ｂに固定することができる。そして、載置部１６の掛止部１６ｂがどのような位置でも接続することができる。
【特許文献１】特開２００７−９６８８３号公報（図１３参照）
【発明の開示】
【発明が解決しようとする課題】
【００２２】
然しながら、特許文献１に開示された技術では、ユーザが載置部１６の底面に電子機器側コネクタ１ａの位置に合わせて設けた略矩形形状の開孔１６ａに、この開孔１６ａの矩形の２辺に対向して、載置部１６の下面側からクレイドル側コネクタ２ａを手で直接掛止しなければならない煩わしさがあるという不都合があった。
【００２３】
本発明は、斯かる点に鑑み、比較的簡単な操作で電子機器側コネクタの位置の大きく異なる複数の電子機器に対応できる電子機器用クレイドル装置を提案することを目的とする。
【課題を解決するための手段】
【００２４】
本発明電子機器用クレイドル装置は、電子機器とのデータの送受信及び/又は電源供給を電子機器側コネクタとクレイドル本体に設けたクレイドル側コネクタとを接続して行うようにした電子機器用クレイドル装置において、このクレイドル側コネクタを平面的に移動可能に構成すると共に付勢手段により所定位置に配置する構成とし、位置決め板の開孔にこのクレイドル側コネクタを挿入係合した状態でこのクレイドル側コネクタをこの付勢手段の付勢力に抗しながら移動させ、この位置決め板をこのクレイドル本体に組み込み固定し、この位置決め板のこのクレイドル側コネクタがこの電子機器側コネクタに合った位置に配置するようにしたものである。
【発明の効果】
【００２５】
本発明によれば、クレイドル側コネクタを平面的に移動可能に構成すると共に付勢手段により所定位置に配置する構成とし、位置決め板の開孔にこのクレイドル側コネクタを挿入係合した状態でこのクレイドル側コネクタをこの付勢手段の付勢力に抗しながら移動させるようにしている。そして、この位置決め板をこのクレイドル本体に組み込み固定し、この位置決め板のこのクレイドル側コネクタがこの電子機器側コネクタに合った位置に配置するようにしたので、比較的簡単な操作で電子機器側コネクタの位置の大きく異なる複数の電子機器に対応できる。
【発明を実施するための最良の形態】
【００２６】
以下、図面を参照して、本発明電子機器用クレイドル装置を実施するための最良の形態の例（以下、「本例」という。）を説明する。
【００２７】
図１は、本例による、電子機器側コネクタ１ａ及び１ａが右側及び左側の大きく異なる位置にあるデジタルスチルカメラＡ及びＢ（図１６、図１７参照）に適用できるようにした電子機器用クレイドル装置のクレイドル本体２０を正面側から見た斜視図を示している。図２は、図１に示したクレイドル本体２０の筐体２１の展開図であり、それぞれ図２Ａは正面図、図２Ｂは上面図、図２Ｃは背面図、図２Ｄは左側面図を示している。この筐体２１は合成樹脂で形成されており、正面側から背面側に徐々に低くなるように傾斜した横長の直方体となっている。
【００２８】
この図１、図２Ｂに示すように、筐体２１の上面のやや前面側に、平行な長方形の位置決め板を組み込むための、位置決め板組み込み用の凹部２２が設けられている。この位置決め板組み込み用の凹部２２は、後述するデジタルスチルカメラＡ及びＢ毎に専用に設けられるものである。
【００２９】
この凹部２２内に、図１、図２Ｂに示すように、クレイドル側コネクタ２０ａを取り付けたプレート２３を、筐体２１の左右両端間をやや斜め方向に移動自在とする移動孔２４が形成されている。この移動孔２４は、クレイドル側コネクタ２０ａを前後方向に移動可能とするものである。なお、図１及び図２においては、クレイドル側コネクタ２０ａに保護用のキャップ２０ｂが被せられている。
【００３０】
この筐体２１の移動孔２４に対応して、この筐体２１内に図３Ａ、Ｂに示すような、クレイドル側コネクタ２０ａを案内する合成樹脂よりなる案内シャーシ２５が固定されている。この案内シャーシ２５の前後方向中央部には、規制板２６の下面中央に植立された所定の横長で、所定の高さの規制片２６ａを案内する案内溝２５ａが設けられている。この規制板２６は、クレイドル側コネクタ２０ａを上面に取り付けたプレート２３の下面に取り付けられている。
【００３１】
この案内溝２５ａは、筐体２１の左右両端間を正面に対してやや斜め方向に形成されている。これにより、この案内溝２５ａにガイドされて、規制片２６ａが正面に対してやや斜め方向に移動自在とされ、前後方向に多少移動可能となるように構成されている。
【００３２】
また、プレート２３に取り付けた規制板２６の前方側及び後方側には、複数の弾性片２６ｂが設けられており、案内シャーシ２５の前方側及び後方側には、この複数の弾性片２６ｂがそれぞれ当接する当接壁２５ｂ及び２５ｃが設けられている。そして、この規制板２６を弾性的に規制し、この規制板２６上に設けられたクレイドル側コネクタ２０ａを前後方向に多少移動可能となるようにしている。
【００３３】
また、本例においては、図３Ｂ、図４及び図５に案内シャーシ２５の下側を示すように、案内溝２５ａの両側壁の左右方向に沿って、線状のトルクバネ（捩りコイルバネ）２７ａ及び２７ｂを案内する細長の案内孔２５ｄ及び２５ｅを設けている。２５ｆは、案内孔２５ｄ及び２５ｅの間に設けた中央のストッパ片である。
【００３４】
この線状のトルクバネ２７ａ及び２７ｂのそれぞれの他端は、案内シャーシ２５の下側面所定位置に固定されており、線状のトルクバネ２７ａ及び２７ｂのそれぞれの一端側は、案内孔２５ｄ及び２５ｅに挿入されている。これにより、線状のトルクバネ２７ａ及び２７ｂが中央のストッパ片２５ｆ側に付勢されるようになっている。
【００３５】
この場合、案内シャーシ２５の案内溝２５ａ内においては、図４Ａ２及び図５Ａ２に示すように、この線状のトルクバネ２７ａ及び２７ｂのそれぞれの一端側がそれぞれ規制板２６の規制片２６ａの長手方向の一側及び他側に当接されている。そして、この線状のトルクバネ２７ａ及び２７ｂの付勢力により、この規制片２６ａを移動孔２４の左右間の略中央位置に配置するようにする。言い換えると、クレイドル側コネクタ２０ａが移動孔２４の左右間の略中央位置に配置されるようになる。
【００３６】
図４Ａ１、Ａ２及び図５Ａ１、Ａ２は、クレイドル側コネクタ２０ａを中央位置に配置した状態を示し、図４Ｂ１、Ｂ２及び図４Ｃ１、Ｃ２は線状のトルクバネ２７ｂの付勢力に抗してクレイドル側コネクタ２０ａを右側に移動した状態を示している。また、図５Ｂ１、Ｂ２及び図５Ｃ１、Ｃ２は線状のトルクバネ２７ａの付勢力に抗してクレイドル側コネクタ２０ａを左側に移動した状態を示している。
【００３７】
この場合、本例においては、クレイドル側コネクタ２０ａの移動は、平面的且つ直線的である。また、クレイドル側コネクタ２０ａは、従来と同様にクレイドル本体２０側とフレキシブル配線基板を使用したケーブル２ｄを介して接続しているので、クレイドル側コネクタ２０ａの移動を妨げることはない。
【００３８】
次に、本例に使用する位置決め板につき説明する。位置決め板としては、図６Ａ及びＢに示すように、図１６及び図１７に示すデジタルスチルカメラＡ及びＢのそれぞれに対応して専用の合成樹脂よりなる位置決め板３０及び３１を用意する。
【００３９】
この位置決め板３０及び３１の外形は、クレイドル本体２０の筐体２１の上面に形成した位置決め板組み込み用の凹部２２を被う形状とする。
【００４０】
この位置決め板３０及び３１には、デジタルスチルカメラＡ及びＢの液晶表示画面１ｂ側を前面とし、底面側を載置する載置部３０ａ及び３１ａを設けると共に、デジタルスチルカメラＡ及びＢの底面のそれぞれの電子機器側コネクタ１ａ及び１ａに対応する位置にクレイドル側コネクタ２０ａを貫通し係合する開孔３０ｂ及び３１ｂを形成する。
【００４１】
また、この位置決め板３０及び３１は、クレイドル本体２０の筐体２１の上面に形成した位置決め板組み込み用の凹部２２を、この凹部２２と相まって左右に移動できるようになされる。
【００４２】
また、位置決め板３１（３０）は、図７に示すように、位置決め板３１（３０）の下面に開孔３１ｂ（３０ｂ）にクレイドル側コネクタ２０ａを挟み込む突起３１ｃ（３０ｃ）を設けると共に、この位置決め板３１（３０）を開孔３１ｂ（３０ｂ）側に横スライドする際に、この位置決め板３１（３０）を若干浮かせる為の足３１ｅ（３０ｅ）を設けている。
【００４３】
この位置決め板３１（３０）の開孔３１ｂ（３０ｂ）側の反対側の底面は、斜めに切り欠かれ、その端は中央部より薄く構成される。また、この位置決め板３１（３０）の左右端部には、それぞれ係合爪３１ｆ（３０ｆ）及び３１ｇ（３０ｇ）が設けられている。
【００４４】
この図７は、位置決め板３１を示しているが、位置決め板３０はその開孔３０ｂの位置が位置決め板３１とは左右逆側にあるので、位置決め板３０は、この図７とは左右逆形状となる。
【００４５】
また、本例においては、図１、図２に示すように、クレイドル本体２０の筐体２１の上面の凹部２２の背面側の所定位置に、所定形状のデジタルスチルカメラＡ及びＢの背もたれ板４０が筐体２１と一体に設けられている。
【００４６】
このように、デジタルスチルカメラＡ及びＢの背もたれ板４０を設けることにより、このデジタルスチルカメラＡ及びＢの操作ボタンやモニタ画面上に設けられたタッチパネル等を操作するときに操作の支えとすることができる。
【００４７】
この背もたれ板４０の前面側上部には、エラストマ等の柔軟材より成る突起部４０ａが設けられ、このデジタルスチルカメラＡ及びＢが背もたれ板４０に当接してもこの突起部４０ａにより傷が付かないようになっている。
【００４８】
本例においては、背もたれ板４０を筐体２１と一体に設けたので、位置決め板３０及び３１には、背もたれ板４０を設ける必要がなく、突起部を少なくすることができる。この結果、位置決め板３０及び３１には、高価な柔軟剤でできた突起部４０ａを別々に設ける必要がなく、その構造を簡単にすることができる。したがって、位置決め板３０及び３１を小型で安価なものとすることができる。
【００４９】
本例においては、その他は、従来と同様に構成する。
【００５０】
本例は、上述のように構成されているので、ユーザが図１７に示すようなデジタルスチルカメラＢを所有しているときには、まず位置決め板３１を用意する。そして、図７Ａ、Ｂ及び図８Ａに示すように、この位置決め板３１の開孔３１ｂがクレイドル本体２０のクレイドル側コネクタ２０ａを挿入係合するように、この位置決め板３１を乗せる。
【００５１】
この状態で、図８Ａに示すように、クレイドル本体２０の筐体２１からはみ出した側の位置決め板３１の端を、クレイドル本体２０の筐体２１側に線状のトルクバネ（捩りコイルバネ）２７ａの付勢力に抗しながら矢印方向に平面的に摺動して移動させる。そして、はみ出した側の位置決め板３１の沈み込み係合爪３１ｇを所定位置に係合させるようにする。
【００５２】
この場合、位置決め板３１の逆端側に係合爪３１ｆがあるので、軽く下に押し込むことで、この係合爪３１ｆが所定位置に係合されると共に、スライド用の足３１ｅは、クレイドル本体２０側の所定の穴に嵌まり込むようにする。これにより、図８Ｂに示すように、位置決め板３１がクレイドル本体２０の筐体２１の凹部２２に組み込まれて固定される。
【００５３】
また、図８Ｂに示すように、位置決め板３１の開孔３１ｂに挿入係合したクレイドル側コネクタ２０ａがデジタルスチルカメラＢの電子機器側コネクタ１ａに合った位置に配置される。
【００５４】
図８Ｂに示す状態において、デジタルスチルカメラＢの液晶表示画面１ｂ側を前面とし、載置部３１ａに、デジタルスチルカメラＢの底面側を載置したときに、図９に示すようにデジタルスチルカメラＢの電子機器側コネクタ１ａとクレイドル本体２０のクレイドル側コネクタ２０ａとが接続され、使用状態となる。図９Ａは、デジタルスチルカメラＢをクレイドル本体２０に載置したときの正面図であり、図９Ｂはその側面図である。
【００５５】
なお、図８に示すように、クレイドル型コネクタ２０ａにキャップ２０ｂを被せた状態では、キャップ２０ｂの左右端に設けられている傾斜部により、プレート２３の取り付けをよりスムーズに行うことができる。
【００５６】
また、ユーザが図１６に示すようなデジタルスチルカメラＡを所有しているときには、位置決め板３０を用意し、図１０Ａに示すように、この位置決め板３０の開孔３０ｂがクレイドル本体２０のクレイドル側コネクタ２０ａを挿入係合するようにこの位置決め板３０を乗せる。
【００５７】
この状態で、図１０Ａに示すように、クレイドル本体２０の筐体２１からはみ出した側の位置決め板３０の端を、クレイドル本体２０の筐体２１側に線状のトルクバネ（捩りコイルバネ）２７ｂの付勢力に抗しながら矢印方向に平面的に摺動し移動させる。これにより、はみ出した側の位置決め板３０の沈み込み係合爪３０ｇを所定位置に係合させるようにする。
【００５８】
この場合、位置決め板３０の逆端側に係合爪３０ｆがあるので、位置決め板３０を軽く下に押し込むことで、この係合爪３０ｆが所定位置に係合させる。そして、スライド用の足３０ｅがクレイドル本体２０側の所定の穴に嵌まり込むことで、図１０Ｂに示すように、位置決め板３０をクレイドル本体２０の筐体２１の凹部２２（図１参照）に組み込み固定する。
【００５９】
これにより、図１０Ｂに示すように、位置決め板３０の開孔３０ｂに挿入係合したクレイドル側コネクタ２０ａが、デジタルスチルカメラＡの電子機器側コネクタ１ａに合った位置に配置される。
【００６０】
この図１０Ｂに示す状態において、デジタルスチルカメラＡの液晶表示面１ｂ側を前面として、載置部３０ａにデジタルスチルカメラＡの底面側を載置したときに、図１１に示すようにデジタルスチルカメラＡの電子機器側コネクタ１ａとクレイドル本体２０のクレイドル側コネクタ２０ａとが接続され、使用状態となる。図１１Ａは、デジタルスチルカメラＡをクレイドル本体２０に載置したときの正面図であり、図１１Ｂはその側面図である。
【００６１】
従って、本例によれば、クレイドル側コネクタ２０ａを平面的直線的に移動可能に構成すると共に、付勢手段である線状のトルクバネ２７ａ及び２７ｂにより中央位置に配置する構成とする。そして、位置決め板３０及び３１の開孔３０ｂ及び３１ｂにこのクレイドル側コネクタ２０ａを挿入係合した状態で、クレイドル側コネクタ２０ａをこの付勢手段である線状のトルクバネ２７ａ及び２７ｂの付勢力に抗しながら移動させる。
そして、位置決め板３０及び３１をこのクレイドル本体２０に組み込み固定し、この位置決め板３０及び３１のクレイドル側コネクタ２０ａが、電子機器側コネクタ１ａ及び１ａに合った位置に配置するようにする。これにより、クレイドル側コネクタ２０ａを、比較的簡単な操作で電子機器側コネクタ１ａ及び１ａの位置の大きく異なるデジタルスチルカメラＡ及びＢに対応させることが可能となる。
【００６２】
更に、本例においては、クレイドル側コネクタ２０ａが移動する軌跡を正面に対して傾斜して配置したので、電子機器側コネクタ１ａの前後方向の位置が違っていても、容易に対応することができる。
【００６３】
また、図１２、図１３及び図１４は、本発明を実施するための最良の形態の他の例を示す。上述の例においては、クレイドル側コネクタ２０ａを平面的かつ直線的に移動するように述べたが、代わりに図１２、図１３に示すように平面的移動をＸＹ方向（左右及び前後方向）としても良い。
【００６４】
上述した他の例は、例えば、図１２、図１３に示すように、電子機器用クレイドル装置のクレイドル本体５０の筐体５１上面に、デジタルスチルカメラＡ及びＢ毎に専用に設けられた位置決め板６０（図１３）を組み込む凹部５２を設けている。なお、筐体５１はクレイドル側コネクタ５０ａと同じ合成樹脂で形成されている。
【００６５】
この凹部５２内には、クレイドル側コネクタ５０ａを中央上面に取り付けた取付基板５３を、左右方向（Ｘ方向）に摺動し移動するための横方向ガイド５４が設けられる。更に、この横方向ガイド５４を前後方向（Ｙ方向）に摺動して移動するための縦方向ガイド５５が設けられている。
【００６６】
この横方向ガイド５４は、取付基板５３を左右方向（Ｘ方向）に摺動移動できるように取り付けた２本のレール５４ａ及び５４ｂを有している。そして、この２本のレール５４ａ及び５４ｂ間に、取付基板５３の左側及び右側より付勢する付勢手段であるコイルバネ（圧縮コイルバネ又は引っ張りコイルバネ）５４ｃ及び５４ｄが設けられている。通常は、クレイドル側コネクタ５０ａを取り付ける取付基板５３を、横方向ガイド５４のレール５４ａ、５４ｂの左右間の略中央に位置するようにする。
【００６７】
また、縦方向ガイド５５には、凹部５２内の左側及び右側にそれぞれ縦方向に配された案内溝５５ａ及び５５ｂが設けられている。そして、横方向ガイド５４の左側端及び右側端を、この案内溝５５ａ及び５５ｂに沿って、前後方向（Ｙ方向）に摺動し、横方向ガイド５４を移動するようにしている。この２つの案内溝５５ａ及び５５ｂにも、図示は省略したが、横方向ガイド５４の左右摺動片の前後に、コイルバネが設けられている。そして、横方向ガイド５４が、縦方向ガイド５５の案内溝５５ａ、５５ｂの前後間の略中央に位置するようにする。
【００６８】
位置決め板６０は、図６に示した位置決め板３０と同様に、図１６及び図１７に示すデジタルスチルカメラＡ及びＢのそれぞれに対応するように、専用の合成樹脂で形成されている。この位置決め板６０の外形は、クレイドル本体５０の筐体５１の上面に形成した凹部５２を被う形状とされる。
【００６９】
また、この位置決め板６０には、デジタルスチルカメラＡ及びＢの液晶表示画面１ｂ側を前面として底面側を載置する載置部６０ａが設けられている。そして、デジタルスチルカメラＡ及びＢの底面側にある電子機器側コネクタ１ａ及び１ａに対応する位置に、クレイドル側コネクタ５０ａを貫通し係合する開孔６０ｂが形成される。本例では、この位置決め板６０の載置部６０ａの後方に背もたれ板６０ｃが位置決め板６０と一体に設けられている。
【００７０】
本例においては、使用するデジタルスチルカメラに応じた位置決め板６０が用意される。そして、図１３に示すように、この位置決め板６０の開孔６０ｂがクレイドル本体５０のクレイドル側コネクタ５０ａに挿入され係合されるように、位置決め板６０を載せる。
その後、この位置決め板６０を平面的にＸＹ方向に移動して、図１４に示すように、位置決め板６０をクレイドル本体５０の筐体５１に組み込み固定するようにする。
【００７１】
この他の例においても、上述例と同様の作用効果が得られることは、容易に理解できよう。
【００７２】
なお、上述例においては、初期状態においてクレイドル側コネクタを、略中央部に位置するように述べたが、これに限定されるものではなく、初期状態においてクレイドル側コネクタを、端部、角部、その他の所定位置であっても良い。
【００７３】
また、上述例の電子機器用クレイドル装置をプリンタ、データストレージ、テレビジョン受像機等の電子装置と一体に設けるようにしても良い。図１５は、この電子機器用クレイドル装置７０をプリンタ７１に一体的に設けた例を示す。
【００７４】
この場合、プリンタ７１と電子機器用クレイドル装置７０とを接続するケーブルを不用とすることができると共に、プリンタ内蔵の熱昇華式やインクジェット等によりプリントされた画像７２を直接得ることができる。
【００７５】
また、このプリンタ７１にデータストレージ用のＨＤＤ装置７３を内蔵したときには、デジタルスチルカメラ１の画像データを保存してアルバム化することができる。図１５において、７４、７５は操作ボタンである。
【００７６】
なお、上述例においては、電子機器としてデジタルスチルカメラを適用した例につき述べたが、デジタルスチルカメラに代えてビデオカメラ等のその他の撮像装置や携帯電話、ＰＤＡ（携帯情報端末）等その他のポータブル型電子機器が適用できることは勿論である。
【００７７】
また、本発明は、上述例に限ることなく特許請求の範囲に記載した本発明の要旨を逸脱しない限り、その他種々の構成が採り得ることは勿論である。
【図面の簡単な説明】
【００７８】
【図１】本発明電子機器用クレイドル装置を実施するための最良の形態の例を示す斜視図である。
【図２】Ａは図１の正面図、Ｂは図１の上面図、Ｃは図１の背面図及びＤは図１の左側面図である。
【図３】Ａは案内シャーシを上方から見た斜視図、Ｂは案内シャーシを下方から見た斜視図である。
【図４】案内シャーシと規制板とを下方から見た斜視図である。
【図５】案内シャーシと規制板とを下方から見た斜視図である。
【図６】位置決め板の例を示す斜視図である。
【図７】位置決め板の例を示す前面図である。
【図８】本発明の動作の説明に供する線図である。
【図９】本発明電子機器用クレイドル装置にデジタルスチルカメラＢを載置した状態を示し、Ａは正面図、Ｂは側面図である。
【図１０】本発明の動作の説明に供する線図である。
【図１１】本発明電子機器用クレイドル装置にデジタルスチルカメラＡを載置した状態を示し、Ａは正面図、Ｂは側面図である。
【図１２】本発明電子機器用クレイドル装置を実施するための最良の形態の他の例を示す前方より見た斜視図である。
【図１３】図１２の動作の説明に供する線図である。
【図１４】図１２の動作の説明に供する線図である。
【図１５】本発明電子機器用クレイドル装置を電子装置に一体的に設けた例を示す斜視図である。
【図１６】デジタルスチルカメラＡを示す図である。
【図１７】デジタルスチルカメラＢを示す図である。
【図１８】電子機器用クレイドル装置の説明に供する線図である。
【図１９】電子機器用クレイドル装置の構成図である。
【図２０】従来例の説明に供する線図である。
【符号の説明】
【００７９】
１…デジタルスチルカメラ、１ａ…電子機器側コネクタ、１ｂ…液晶表示画面、２０、５０…クレイドル本体、２０ａ、５０ａ…クレイドル側コネクタ、２１、５１…筐体、２２、５２…凹部、２３…プレート、２４…移動孔、２５…案内シャーシ、２６…規制板、２７ａ、２７ｂ…線状トルクバネ、３０、３１、６０…位置決め板、３０ａ、３１ａ、６０ａ…載置部、３０ｂ、３１ｂ、６０ｂ…開孔、４０、６０ｃ…背もたれ板
【図１】
2009159505.tif 000003
【図２】
2009159505.tif 000004
【図３】
2009159505.tif 000005
【図４】
2009159505.tif 000006
【図５】
2009159505.tif 000007
【図６】
2009159505.tif 000008
【図７】
2009159505.tif 000009
【図８】
2009159505.tif 000010
【図９】
2009159505.tif 000011
【図１０】
2009159505.tif 000012
【図１１】
2009159505.tif 000013
【図１２】
2009159505.tif 000014
【図１３】
2009159505.tif 000015
【図１４】
2009159505.tif 000016
【図１５】
2009159505.tif 000017
【図１６】
2009159505.tif 000018
【図１７】
2009159505.tif 000019
【図１８】
2009159505.tif 000020
【図１９】
2009159505.tif 000021
【図２０】
2009159505.tif 000022